(57)【要約】【課題】  ＵＦＯキャッチャーの前面上部に取り付けて、音声により新賞品の特徴を案内することにより、ＵＦＯキャッチャーの集客効果を高める音声宣伝ボードを提供する。【解決手段】  ボード本体１１の表面には賞品キャラクターの「おみくじダック」の絵が描かれている。一番左側に描かれた「おみくじダック」の絵の裏側には、音声再生ユニット２１が取り付けられ、再生音が遊戯者によく聞こえるように、ボード本体１１の音声再生ユニット２１を取り付けた部位には、複数の小穴が穿たれている。音声再生ユニット２１には、配線用のコード２２を介して押しボタン式の音声再生スイッチ２３が接続されている。【選択図】  図１
0003112438.tif 000002
【実用新案登録請求の範囲】
【請求項１】
ＵＦＯキャッチャーの前面の上部に取り付ける賞品宣伝用ボードであって、ボード本体の表面に賞品キャラクターの絵又は写真を配置し、かつ、ボード本体の賞品キャラクターの絵又は写真の裏側に音声を録音した音声再生ユニットを配置するとともに、音声再生スイッチを備えたことを特徴とする、ＵＦＯキャッチャー用賞品宣伝ボード。
【請求項２】
前記ボード本体の裏面に、ボード本体に対して２０〜３０度の角度をなすように後方に傾斜した背面板を設けるとともに、その背面板の外面部に複数の両面接着シールを貼着したことを特徴とする、請求項１のＵＦＯキャッチャー用賞品宣伝ボード。
【請求項３】
前記音声再生スイッチが、押しボタン式スイッチであるとともに、音声再生ユニットより配線しＵＦＯキャッチャー前面の遊技者が操作しやすい位置に固着されることを特徴とする、請求項１〜２のＵＦＯキャッチャー用賞品宣伝ボード。
【請求項４】
前記音声再生ユニットに録音された音声が、賞品キャラクターの説明又は運勢占い等であって、音声再生スイッチを押すごとに再生されることを特徴とする、請求項１〜３のＵＦＯキャッチャー用賞品宣伝ボード。
【考案の詳細な説明】
【技術分野】
【０００１】  本考案は、ＵＦＯキャッチャーの前面上部に取り付けて、賞品の宣伝をするための音声ボードに関するものである。
【背景技術】
【０００２】  ＵＦＯキャッチャーとは、繁華街のゲームセンターなどに置かれており、クレーンを操作してぬいぐるみ人形などの賞品を取って遊ぶゲーム機の一種で、クレーン部分の形状が「空飛ぶ円盤（ＵＦＯ）」に似ていることから、この名で呼ばれている。ゲームセンターで、ＵＦＯキャッチャーの集客を上げるためには、その中に置く賞品が人気キャラクターのぬいぐるみ人形などの人気商品又はこれから人気が出るであろう商品を入れて、お客の目を引く必要がある。そのため、ＵＦＯキャッチャーに新しい賞品を入れたときは、ゲーム機の前面に「新賞品○○ちゃん人形！！」等の宣伝文句を書いた紙を貼ったり、看板を立てたりしていた。しかし、このような方法による新賞品の宣伝ではありきたりであり、集客効果として満足できるものではなかった。
【考案の開示】
【考案が解決しようとする課題】
【０００３】  本考案は、上述のような問題点に鑑みてなされたもので、ＵＦＯキャッチャーの前面上部に取り付けて、音声により新賞品の特徴を案内することにより、ＵＦＯキャッチャーの集客効果を高める音声宣伝ボードを提供することを目的とする。
【課題を解決するための手段】
【０００４】  上記課題を解決するために、本考案の請求項１のＵＦＯキャッチャー用賞品宣伝ボードは、ＵＦＯキャッチャーの前面の上部に取り付ける賞品宣伝用ボードであって、ボード本体の表面に賞品キャラクターの絵又は写真を配置し、かつ、ボード本体の賞品キャラクターの絵又は写真の裏側に音声を録音した音声再生ユニットを配置するとともに、音声再生スイッチを備えたことを特徴とする。
本考案のＵＦＯキャッチャー用賞品宣伝ボードは、このように構成したことにより、遊戯者の興味を引き、遊戯者に音声再生スイッチを押させて賞品キャラクターに関する音声情報を提供することができるという作用効果を奏する。【０００５】  また、請求項２のＵＦＯキャッチャー用賞品宣伝ボードは、前記ボード本体の裏面に、ボード本体に対して２０〜３０度の角度をなすように後方に傾斜した背面板を設けるとともに、その背面板の外面部に複数の両面接着シールを貼着したことを特徴とする。
本考案のＵＦＯキャッチャー用賞品宣伝ボードは、このように構成したことにより、ＵＦＯキャッチャーの前面上部に固着すると、賞品キャラクターの絵又は写真を描きかつ音声再生ユニットを取り付けたボード本体が遊戯者の方に２０〜３０度の角度で前傾して取り付けられるので、遊戯者から見易く、また、音声再生ユニットからのメッセージ音声が聞き易いという作用効果を奏する。【０００６】  また、請求項３のＵＦＯキャッチャー用賞品宣伝ボードは、前記音声再生スイッチが、押しボタン式スイッチであるとともに、音声再生ユニットより配線しＵＦＯキャッチャー前面の遊技者が操作しやすい位置に固着されることを特徴とする。
本考案のＵＦＯキャッチャー用賞品宣伝ボードは、このように構成したことにより、より遊戯者の興味を引き、遊戯者に音声再生スイッチのボタンを押させ易くなるという作用効果を奏する。【０００７】  また、請求項４のＵＦＯキャッチャー用賞品宣伝ボードは、前記音声再生ユニットに録音された音声が、賞品キャラクターの説明又は運勢占い等であって、音声再生スイッチを押すごとに再生されることを特徴とする。
本考案のＵＦＯキャッチャー用賞品宣伝ボードは、このように構成したことにより、遊戯者に賞品に対する興味をより高め、ＵＦＯキャッチャーで遊戯させるように誘導することができるという作用効果を奏する。
【考案の効果】
【０００８】  本考案のＵＦＯキャッチャー用賞品宣伝ボードは、上述の手段を講じたことにより、遊戯者の興味を引き、遊戯者に音声再生スイッチを押させて賞品キャラクターに関する音声情報を提供することができる。
また、ＵＦＯキャッチャーの前面上部に固着すると、賞品キャラクターの絵又は写真を描きかつ音声再生ユニットを取り付けたボード本体が遊戯者の方に２０〜３０度の角度で前傾して取り付けられるので、遊戯者から見易く、また、音声再生ユニットからのメッセージ音声が聞き易くすることができる。
また、音声再生スイッチを押しボタン式にして、音声再生ユニットより配線しＵＦＯキャッチャー前面の遊技者が操作しやすい位置に固着するようにしたことにより、遊戯者に音声再生スイッチのボタンを押し易くすることができる。
また、前記音声再生ユニットに録音された音声が、賞品キャラクターの説明又は運勢占い等であって、音声再生スイッチを押すごとに再生されるようにしたことにより、遊戯者に賞品に対する興味をより高め、ＵＦＯキャッチャーで遊戯させるように誘導することができる。
【考案を実施するための最良の形態】
【０００９】  本考案の実施の形態を、代表的な実施例に基づいて図を用いて説明する。図１はＵＦＯキャッチャー用賞品宣伝ボード１０を正面から見た説明図、図２は背面側から斜めに見た説明図である。ＵＦＯキャッチャー用賞品宣伝ボード１０は、ボード本体１１及び背面板１２が厚さが３〜５ｍｍ程度の硬質紙又はプラスチック板で形成され、背面板１２はボード本体１１に対して約２５度の角度をなすように傾斜して形成されている。背面板１２の外面には、ＵＦＯキャッチャー用賞品宣伝ボード１０をＵＦＯキャッチャーの前面に固着するための両面接着シール１３が４箇所に貼着されている。本実施例では、図示しないが、背面板１２には複数の折り目が設けてあり、その折り目で折り込むことによりボード本体１１の側に平たく折りたたむことができるようになっている。このように折りたたみ可能にすることにより、このＵＦＯキャッチャー用賞品宣伝ボード１０は商品として販売、流通経路において、よりコンパクトに取り扱うことを可能にしている。【００１０】  本実施例では、「おみくじダック」というアヒルのキャラクター人形を賞品としてＵＦＯキャッチャー内部に置いているので、ボード本体１１の表面には賞品キャラクターの「おみくじダック」の絵が描かれている。一番左側に描かれた「おみくじダック」の絵の裏側には、音声再生ユニット２１が取り付けられ、再生音が遊戯者によく聞こえるように、ボード本体１１の音声再生ユニット２１を取り付けた部位には、複数の小穴が穿たれている。音声再生ユニット２１には、配線用のコード２２を介して押しボタン式の音声再生スイッチ２３が接続されている。【００１１】  音声再生ユニット２１は、予め音声を記録したＩＣメモリチップと小型スピーカと小型ボタン電池が内蔵された市販品若しくは特注製造品の超小型ＩＣプレーヤを使用している。音声再生スイッチ２３をオンするたびに、ＩＣメモリに予め記録された音声がスピーカから再生される。予めＩＣメモリに記録する音声は、賞品キャラクターの説明又は運勢占いとすることが望ましく、人の声によるメッセージだけでなく効果音や音楽を同時に記録してもよい。音声再生スイッチ２３をオンする毎に再生される音声は、単一のものが繰り返されるのではなく、予め複数の音声メッセージを記録しておき、順次又はランダムに再生されるようにしておいてもよい。【００１２】  図３はＵＦＯキャッチャー３０にＵＦＯキャッチャー用賞品宣伝ボード１０を取り付けた状態を示す正面図、図４はその側面図である。ＵＦＯキャッチャー３０の内部には、賞品４０の「おみくじダック」が多数置かれている。ＵＦＯキャッチャー３０の前面には、遊戯者が硬貨を投入する投入口とクレーン３３を操作するためのボタンやレバーなどが配置された操作部３１と、クレーン３３により掴み出された賞品の取り出し口３２とが設けられている。ＵＦＯキャッチャー用賞品宣伝ボード１０は、背面板１２の外面部に貼着された４箇所の両面接着シールにより、ＵＦＯキャッチャー３０の前面の上部に固着されている。押しボタン式の音声再生スイッチ２３も、両面接着シールなどを用いて、ＵＦＯキャッチャー３０の前面の遊技者が操作しやすい位置に固着される。【００１３】  背面板��２はボード本体１１に対して約２５度の角度をなすように傾斜して形成されているので、「おみくじダック」の絵が描かれたボード本体１１は、ＵＦＯキャッチャーの前面から約２５度遊戯者の方に前傾して取り付けられる。このように傾斜して取り付けたことにより、遊戯者が見易く音声再生ユニット２１からのメッセージ音声が聞き易いという効果を奏する。本実施例においては、背面板１２はボード本体１１に対して約２５度の角度をなすように形成されているが、本願考案者の実験によれば、この角度は２０〜３０度の範囲であれば、遊戯者だけでなくその周囲で見る者にとっても見易くかつ音声メッセージが聞き易いことが確かめられている。したがって、約２５度の角度に限定されるものではなく、２０〜３０度の範囲であればよい。【００１４】  ＵＦＯキャッチャーの収益は、いかに魅力的な賞品を揃えるかに掛かっているが、本考案のＵＦＯキャッチャー用賞品宣伝ボードは、ＵＦＯキャッチャーに、その賞品に対応したものを後から取り付けることができるので、その賞品の魅力を集客に結びつけるためのツールとして、最適かつ極めて有効なものである。
【図面の簡単な説明】
【００１５】
【図１】ＵＦＯキャッチャー用賞品宣伝ボードの正面図である。
【図２】ＵＦＯキャッチャー用賞品宣伝ボードの背面側の斜視図である。
【図３】ＵＦＯキャッチャーにＵＦＯキャッチャー用賞品宣伝ボードを取り付けた状態を示す正面図である。
【図４】ＵＦＯキャッチャーにＵＦＯキャッチャー用賞品宣伝ボードを取り付けた状態を示す側面図である。
【符号の説明】
【００１６】１０  ＵＦＯキャッチャー用賞品宣伝ボード
１１  ボード本体
１２  背面板
１３  両面接着シール
２１  音声再生ユニット
２２  コード
２３  音声再生スイッチ
３０  ＵＦＯキャッチャー
３１  操作部
３２  取り出し口
３３  クレーン
４０  賞品（おみくじダック）
【図１】
0003112438.tif 000003
【図２】
0003112438.tif 000004
【図３】
0003112438.tif 000005
【図４】
0003112438.tif 000006
【手続補正書】
【提出日】平成17年5月2日(2005.5.2)
【手続補正１】
【補正対象書類名】実用新案登録請求の範囲
【補正対象項目名】全文
【補正方法】変更
【補正の内容】
【実用新案登録請求の範囲】
【請求項１】
クレーンゲーム機の前面の上部に取り付ける賞品宣伝用ボードであって、ボード本体の表面に賞品キャラクターの絵又は写真を配置し、かつ、ボード本体の賞品キャラクターの絵又は写真の裏側に音声を録音した音声再生ユニットを配置するとともに、音声再生スイッチを備えたことを特徴とする、クレーンゲーム機用賞品宣伝ボード。
【請求項２】
前記ボード本体の裏面に、ボード本体に対して２０〜３０度の角度をなすように後方に傾斜した背面板を設けるとともに、その背面板の外面部に複数の両面接着シールを貼着したことを特徴とする、請求項１のクレーンゲーム機用賞品宣伝ボード。
【請求項３】
前記音声再生スイッチが、押しボタン式スイッチであるとともに、音声再生ユニットより配線しクレーンゲーム機前面の遊技者が操作しやすい位置に固着されることを特徴とする、請求項１〜２のクレーンゲーム機用賞品宣伝ボード。
【請求項４】
前記音声再生ユニットに録音された音声が、賞品キャラクターの説明又は運勢占い等であって、音声再生スイッチを押すごとに再生されることを特徴とする、請求項１〜３のクレーンゲーム機用賞品宣伝ボード。
【手続補正２】
【補正対象書類名】明細書
【補正対象項目名】全文
【補正方法】変更
【補正の内容】
【考案の詳細な説明】
【技術分野】
【０００１】  本考案は、クレーンゲーム機の前面上部に取り付けて、賞品の宣伝をするための音声ボードに関するものである。
【背景技術】
【０００２】クレーンゲーム機とは、繁華街のゲームセンターなどに置かれており、クレーンを操作してぬいぐるみ人形などの賞品を取って遊ぶゲーム機の一種で、クレーン部分の形状が「空飛ぶ円盤（ＵＦＯ）」に似ているものである。ゲームセンターで、クレーンゲーム機の集客を上げるためには、その中に置く賞品が人気キャラクターのぬいぐるみ人形などの人気商品又はこれから人気が出るであろう商品を入れて、お客の目を引く必要がある。そのため、クレーンゲーム機に新しい賞品を入れたときは、ゲーム機の前面に「新賞品○○ちゃん人形！！」等の宣伝文句を書いた紙を貼ったり、看板を立てたりしていた。しかし、このような方法による新賞品の宣伝ではありきたりであり、集客効果として満足できるものではなかった。
【考案の開示】
【考案が解決しようとする課題】
【０００３】  本考案は、上述のような問題点に鑑みてなされたもので、クレーンゲーム機の前面上部に取り付けて、音声により新賞品の特徴を案内することにより、クレーンゲーム機の集客効果を高める音声宣伝ボードを提供することを目的とする。
【課題を解決するための手段】
【０００４】  上記課題を解決するために、本考案の請求項１のクレーンゲーム機用賞品宣伝ボードは、クレーンゲーム機の前面の上部に取り付ける賞品宣伝用ボードであって、ボード本体の表面に賞品キャラクターの絵又は写真を配置し、かつ、ボード本体の賞品キャラクターの絵又は写真の裏側に音声を録音した音声再生ユニットを配置するとともに、音声再生スイッチを備えたことを特徴とする。
本考案のクレーンゲーム機用賞品宣伝ボードは、このように構成したことにより、遊戯者の興味を引き、遊戯者に音声再生スイッチを押させて賞品キャラクターに関する音声情報を提供することができるという作用効果を奏する。【０００５】  また、請求項２のクレーンゲーム機用賞品宣伝ボードは、前記ボード本体の裏面に、ボード本体に対して２０〜３０度の角度をなすように後方に傾斜した背面板を設けるとともに、その背面板の外面部に複数の両面接着シールを貼着したことを特徴とする。
本考案のクレーンゲーム機用賞品宣伝ボードは、このように構成したことにより、クレーンゲーム機の前面上部に固着すると、賞品キャラクターの絵又は写真を描きかつ音声再生ユニットを取り付けたボード本体が遊戯者の方に２０〜３０度の角度で前傾して取り付けられるので、遊戯者から見易く、また、音声再生ユニットからのメッセージ音声が聞き易いという作用効果を奏する。【０００６】  また、請求項３のクレーンゲーム機用賞品宣伝ボードは、前記音声再生スイッチが、押しボタン式スイッチであるとともに、音声再生ユニットより配線しクレーンゲーム機前面の遊技者が操作しやすい位置に固着されることを特徴とする。
本考案のクレーンゲーム機用賞品宣伝ボードは、このように構成したことにより、より遊戯者の興味を引き、遊戯者に音声再生スイッチのボタンを押させ易くなるという作用効果を奏する。【０００７】  また、請求項４のクレーンゲーム機用賞品宣伝ボードは、前記音声再生ユニットに録音された音声が、賞品キャラクターの説明又は運勢占い等であって、音声再生スイッチを押すごとに再生されることを特徴とする。
本考案のクレーンゲーム機用賞品宣伝ボードは、このように構成したことにより、遊戯者に賞品に対する興味をより高め、クレーンゲーム機で遊戯させるように誘導することができるという作用効果を奏する。
【考案の効果】
【０００８】  本考案のクレーンゲーム機用賞品宣伝ボードは、上述の手段を講じたことにより、遊戯者の興味を引き、遊戯者に音声再生スイッチを押させて賞品キャラクターに関する音声情報を提供することができる。
また、クレーンゲーム機の前面上部に固着すると、賞品キャラクターの絵又は写真を描きかつ音声再生ユニットを取り付けたボード本体が遊戯者の方に２０〜３０度の角度で前傾して取り付けられるので、遊戯者から見易く、また、音声再生ユニットからのメッセージ音声が聞き易くすることができる。
また、音声再生スイッチを押しボタン式にして、音声再生ユニットより配線しクレーンゲーム機前面の遊技者が操作しやすい位置に固着するようにしたことにより、遊戯者に音声再生スイッチのボタンを押し易くすることができる。
また、前記音声再生ユニットに録音された音声が、賞品キャラクターの説明又は運勢占い等であって、音声再生スイッチを押すごとに再生されるようにしたことにより、遊戯者に賞品に対する興味をより高め、クレーンゲーム機で遊戯させるように誘導することができる。
【考案を実施するための最良の形態】
【０００９】  本考案の実施の形態を、代表的な実施例に基づいて図を用いて説明する。図１はクレーンゲーム機用賞品宣伝ボード１０を正面から見た説明図、図２は背面側から斜めに見た説明図である。クレーンゲーム機用賞品宣伝ボード１０は、ボード本体１１及び背面板１２が厚さが３〜５ｍｍ程度の硬質紙又はプラスチック板で形成され、背面板１２はボード本体１１に対して約２５度の角度をなすように傾斜して形成されている。背面板１２の外面には、クレーンゲーム機用賞品宣伝ボード１０をクレーンゲーム機の前面に固着するための両面接着シール１３が４箇所に貼着されている。本実施例では、図示しないが、背面板１２には複数の折り目が設けてあり、その折り目で折り込むことによりボード本体１１の側に平たく折りたたむことができるようになっている。このように折りたたみ可能にすることにより、このクレーンゲーム機用賞品宣伝ボード１０は商品として販売、流通経路において、よりコンパクトに取り扱うことを可能にしている。【００１０】  本実施例では、「おみくじダック」というアヒルのキャラクター人形を賞品としてクレーンゲーム機内部に置いているので、ボード本体１１の表面には賞品キャラクターの「おみくじダック」の絵が描かれている。一番左側に描かれた「おみくじダック」の絵の裏側には、音声再生ユニット２１が取り付けられ、再生音が遊戯者によく聞こえるように、ボード本体１１の音声再生ユニット２１を取り付けた部位には、複数の小穴が穿たれている。音声再生ユニット２１には、配線用のコード２２を介して押しボタン式の音声再生スイッチ２３が接続されている。【００１１】  音声再生ユニット２１は、予め音声を記録したＩＣメモリチップと小型スピーカと小型ボタン電池が内蔵された市販品若しくは特注製造品の超小型ＩＣプレーヤを使用している。音声再生スイッチ２３をオンするたびに、ＩＣメモリに予め記録された音声がスピーカから再生される。予めＩＣメモリに記録する音声は、賞品キャラクターの説明又は運勢占いとすることが望ましく、人の声によるメッセージだけでなく効果音や音楽を同時に記録してもよい。音声再生スイッチ２３をオンする毎に再生される音声は、単一のものが繰り返されるのではなく、予め複数の音声メッセージを記録しておき、順次又はランダムに再生されるようにしておいてもよい。【００１２】  図３はクレーンゲーム機３０にクレーンゲーム機用賞品宣伝ボード１０を取り付けた状態を示す正面図、図４はその側面図である。クレーンゲーム機３０の内部には、賞品４０の「おみくじダック」が多数置かれている。クレーンゲーム機３０の前面には、遊戯者が硬貨を投入する投入口とクレーン３３を操作するためのボタンやレバーなどが配置された操作部３１と、クレーン３３により掴み出された賞品の取り出し口３２とが設けられている。クレーンゲーム機用賞品宣伝ボード１０は、背面板１２の外面部に貼着された４箇所の両面接着シールにより、クレーンゲーム機３０の前面の上部に固着されている。押しボタン式の音声再生スイッチ２３も、両面接着シールなどを用いて、クレーンゲーム機３０の前面の遊技者が操作しやすい位置に固着される。【００１３】  背面板１２はボード本体１１に対し��約２５度の角度をなすように傾斜して形成されているので、「おみくじダック」の絵が描かれたボード本体１１は、クレーンゲーム機の前面から約２５度遊戯者の方に前傾して取り付けられる。このように傾斜して取り付けたことにより、遊戯者が見易く音声再生ユニット２１からのメッセージ音声が聞き易いという効果を奏する。本実施例においては、背面板１２はボード本体１１に対して約２５度の角度をなすように形成されているが、本願考案者の実験によれば、この角度は２０〜３０度の範囲であれば、遊戯者だけでなくその周囲で見る者にとっても見易くかつ音声メッセージが聞き易いことが確かめられている。したがって、約２５度の角度に限定されるものではなく、２０〜３０度の範囲であればよい。【００１４】クレーンゲーム機の収益は、いかに魅力的な賞品を揃えるかに掛かっているが、本考案のクレーンゲーム機用賞品宣伝ボードは、クレーンゲーム機に、その賞品に対応したものを後から取り付けることができるので、その賞品の魅力を集客に結びつけるためのツールとして、最適かつ極めて有効なものである。
【図面の簡単な説明】
【００１５】
【図１】クレーンゲーム機用賞品宣伝ボードの正面図である。
【図２】クレーンゲーム機用賞品宣伝ボードの背面側の斜視図である。
【図３】クレーンゲーム機にクレーンゲーム機用賞品宣伝ボードを取り付けた状態を示す正面図である。
【図４】クレーンゲーム機にクレーンゲーム機用賞品宣伝ボードを取り付けた状態を示す側面図である。
【符号の説明】
【００１６】１０クレーンゲーム機用賞品宣伝ボード
１１  ボード本体
１２  背面板
１３  両面接着シール
２１  音声再生ユニット
２２  コード
２３  音声再生スイッチ
３０クレーンゲーム機
３１  操作部
３２  取り出し口
３３  クレーン
４０  賞品（おみくじダック）